(57)【特許請求の範囲】
【請求項１】
形態各部を構成する要素部材としての同一形状の複数の腕石を、それらの前面側がそれぞれ別々の方向を向くようにして積み重ねるとともに、それら腕石の上面中央部よりも後面寄りの位置において垂直下方に向けて形成した貫通穴に支柱を貫通させて、各腕石を一体的に連結することを特徴とするモニュメント・オブジェの構成方法。
【請求項２】
前記一体的に連結された腕石を、支柱端部に取り付けた緊結金具により締め付けることを特徴とする請求項１記載のモニュメント・オブジェの構成方法。
【請求項３】
前記支柱内部に噴水用配水管を貫通させること、又は、その支柱を噴水用配水管として利用することを特徴とした請求項１又は２記載のモニュメント・オブジェの構成方法。
【請求項４】
前記配水管、又は、前記配水管として利用する支柱の上端部に、噴水用の水放出ノズルを取り付けることを特徴とする請求項３記載のモニュメント・オブジェの構成方法。
【発明の詳細な説明】
【０００１】
【発明の属する技術分野】
この発明は、１又は複数本の支柱と、形態各部を構成する同一又は異なる形状の複数の要素部材とからなるモニュメントやオブジェの構成方法に関するものである。
【０００２】
【従来の技術】
モニュメントやオブジェは、メッセージ性や芸術性を有する造形物であり、鑑賞する者に活力を与えたり、その者の心を和ませたりする効果を有す。近年のストレス社会においては、それらの効果を求める声は高まる一方で、モニュメント・オブジェの設置数は増加する傾向にある。
【０００３】
そして、モニュメント・オブジェの設置場所も、これまでのような公園や美術館等の公共施設だけではなく、オフィスビルや集合マンション、ホテル、展示場等、人々の集まるいたる所に広がりつつある。
【０００４】
モニュメント・オブジェは、芸術作品の一種であり、その多くは、芸術家によってデザインされ芸術家により造形された一品生産品である。したがって、その生産には、卓越した感性、熟練した技術及び長い制作時間が必要とされる。
【０００５】
【発明が解決しようとする課題】
前述のとおり、モニュメント・オブジェは、今後も需要増加が見込まれており、供給者側の対応が急務である。しかし、モニュメント・オブジェは芸術性の強い創造物であるがゆえに、その工業的生産には幾つかの問題点があげられる。
【０００６】
まず、モニュメント・オブジェはデザインが複雑で、施工が困難であるものが多い。したがって、高等な技術を持つ者が不可欠であると共に、長い制作時間が必要で、量産化には不向きであるとされている。
【０００７】
また、モニュメント・オブジェを量産化した場合、同じデザインのものが大量に存在することとなるが、デザインの陳腐化は、その芸術性をも損なうこととなる。そのような事態を避けるためにも、供給者側は、数多くの優れたデザインのモニュメント・オブジェを用意する必要がある。
【０００８】
以上の二点の問題点を解決し、制作が容易で、かつ、デザインの種類も豊富なモニュメント・オブジェの構成方法を生み出すことは、モニュメント・オブジェの生産コストを下げることにもつながり、需用者と供給者の両者に利益をもたらすことが可能である。
【０００９】
本発明は、上記に鑑み、従来は困難とされていた、制作が容易で、かつ、デザインの種類も豊富なモニュメント・オブジェの提供を目的とする。
【００１０】
【課題を解決するための手段】
上記の課題を解決するため、この出願の第１の発明では、形態各部を構成する要素部材としての同一形状の複数の腕石を、それらの前面側がそれぞれ別々の方向を向くようにして積み重ねるとともに、それら腕石の上面中央部よりも後面寄りの位置において垂直下方に向けて形成した貫通穴に支柱を貫通させて、各腕石を一体的に連結することを特徴とする。
【００１１】
更に、この出願の第２の発明では、前記一体的に連結された腕石を、支柱端部に取り付けた緊結金具により締め付けることを特徴とする。
【００１２】
更にまた、この出願の第３の発明では、前記支柱内部に噴水用配水管を貫通させること、又は、その支柱を噴水用配水管として利用することを特徴とする。
【００１３】
上記において、この出願の第４の発明では、前記配水管、又は、前記配水管として利用する支柱の上端部に、噴水用の水放出ノズルを取り付けることを特徴とする。
【００１４】
【発明の実施の形態】
以下、本発明の実施形態を図面に基づいて詳細に説明する。
【００１５】
図において、(１)は、モニュメント又はオブジェの全体を支持する基礎石であって、この基礎石(１)は、直方体をなしており、その下面には少なくとも一つの側面に向けて開口する凹所(２)が形成されている。また、上面中央部には、この凹所(２)に向けて貫通する貫通穴(３)が設けられている。この貫通穴(３)は、管状体からなる支柱(４)の下端を挿入するものであって、この支柱(４)には、その上下両端の内周面に雌ネジ(５)が形成されている。
【００１６】
この支柱(４)の下端には、下部緊結金具(６)が取り付けられるが、この下部緊結金具(６)は外周に雄ネジを形成した円筒(７)と、その円筒(７)の下端に溶接された貫通穴付きの鉄板(８)とからなるものである。そして、その雄ネジ付き円筒(７)が、前記凹所(２)側から支柱(４)端部の雌ネジ(５)へ螺じ込んで取り付けられる。
【００１７】
基礎石(１)下面の凹所(２)には、地盤中に水平に埋没される第１の配水管(９)が挿入され、その第１の配水管(９)の挿入側端部は、支柱(４)へ挿入した別の第２の配水管(10)の下端部へ、Ｌ型連結管(11)により連結される。
【００１８】
図２で示すように、基礎石(１)の上に、腕石(12)(12)・・・と、一つの押え石(13)とからなる２種類の形の要素部材が積み重ねられる。
【００１９】
腕石(12)(12)・・・は、一つの側面から見て左右方向一方の下側のコーナーが斜めに切り落とし(14)された直方体であり、その切り落とし部(14)の斜面が切り上がった側面を、仮にこの腕石(12)の前面(15)とする。また、腕石(12)上面には、中央部よりも前面(15)寄りの位置に、円形の水受け皿(16)が削成されると共に、この水受け皿(16)から腕石(12)上面及び前面(15)の下端にかけて、排水溝(17)が設けられている。更に、各腕石(12)(12)・・・は、それら腕石(12)の上面中央部よりもやや後面寄りの位置において、垂直下方に向けて貫通穴(18)が設けられており、支柱(４)を、この貫通穴(18)に貫通させるようにして、基礎石(１)の上部に積み重ねられる。このとき各腕石(12)(12)・・・は、それぞれの前面(15)が、等角度もしくは不等角度に分けられた８方向のいずれかを向くように、かつ、それぞれ別々の方向を向くように、基礎石(１)上部に放射状に配置される。
【００２０】
上面に向かってやや小径となるような円柱状に形成された押え石(13)は、上面中央部から垂直下方に向けて貫通穴(19)が設けられている。 この押え石(13)は、支柱(４)が、その押え石(13)の貫通穴(19)を貫通するように、かつ、押え石(13)の下面に形成した凹欠部(20)を腕石(12)へ上方から嵌合させるようにして、最上部に積載された腕石(12)の上部に没置される。
【００２１】
(21)は、円環状の鉄板(22)と、その鉄板(22)の下面に上端を溶接した雄ネジ付きの円筒(23)とからなる上部緊結金具(21)であって、押え石(13)の貫通穴(19)へ挿入された支柱(４)上端の雌ネジ(24)へ螺着される。
【００２２】
支柱(４)の上下両端部に螺着された緊結金具(６)、(21)を締め付けることにより、基礎石(１)、腕石(12)及び押え石(13)が一体的に緊結される。
【００２３】
押え石(12)の上部には、水盤(25)、噴水ノズル(26)及び噴水受冠(27)より構成される噴水部(28)が取り付けられる。まず、水盤(25)が、この水盤(25)の底面中央部に設けられた配水管穴(29)を第２の配水管(10)の上端部が貫通するようにして、押え石(13)上面中央部に設置される。このとき、放射状に８方向へ向けて設けられた水盤(25)の注ぎ口(30)は、それぞれの注ぎ口(30)の先端が、いずれかの腕石(12)における水受け皿(16)の真上に位置するように配置される。
【００２４】
水盤(25)の底面から上方に突出した配水管(10)の上端部外周には、雄ネジ(31)が形成されており、噴水ノズル(26)の下端部の内壁に形成された雌ネジ(32)へ螺着される。このとき、噴水ノズル(26)の下端部には円環状の押え板(33)が一体に設けられており、この押さえ板(33)によって、水盤(25)が押え石(13)上部に押さえつけられるように固定される。
【００２５】
噴水ノズル(26)の上端部近傍における外周面には、複数の噴出穴(34)が等間隔に貫設されており、上端部外周には雄ネジ(35)が形成されている。この噴水ノズル(26)の雄ネジ(35)は、噴水受冠(27)の内壁中央部に形成された雌ネジ(36)に螺じ込まれて、この噴水受冠(27)を支持する。
【００２６】
図３に、モニュメント又はオブジェの設置例とそのモニュメント又はオブジェの噴水を使用したときの水の流れを示す。
【００２７】
モニュメント又はオブジェの平面シルエットが完全に納まる大きさの正方形の溝(37)を掘り、その周壁をコンクリート(38)で固めた後、その溝(37)の底面中央部に基礎石(１)を設置している。基礎石(１)回りには砂利(39)が敷き詰められ、基礎石(１)から突出する第１の配水管(９)が覆い隠されている。
【００２８】
配水管(９)に送り込まれた水は、噴水ノズル(26)の噴出穴(34)から噴射し、噴水受冠(27)内壁を伝って水盤(25)に溜まる。次に、この水は、この水盤(25)の各注ぎ口(30)から各腕石(12)の水受け皿(16)へと落ち、排水溝(17)を伝ってモニュメント又はオブジェの周りに敷き詰められた砂利(39)の上に落ちる。
【００２９】
この実施形態では、中空の支柱(４)に配水管(10)を挿通しているが、支柱(４)そのものを配水管に使用することも可能である。また、この支柱(４)は、重量物であるオブジェ又はモニュメントの全体を支持するため、強度の高い素材例えば構造用鋼管が好適に用いられる。また、支柱(４)においては、複数本使用することが考えられる。
【００３０】
なお、本発明は上記実施形態に限定されるものではなく、本発明の範囲内で上記実施形態に多くの修正及び変更を加え得ることは勿論である。これらの修正及び変更は、本発明の課題の一つにあげられる豊富な種類のデザインを生み出すための重要な要素である。
【００３１】
基礎石、腕石、押え石においては、素材として石材、金属材、コンクリート材、木材、プラスチック材、ゴム材、ガラス材、等を、単独もしくは複合して使用することが考えられる。また、噴水部においては、素材として金属材、プラスチック材、石材、コンクリート材、木材、ゴム材、ガラス材、等を、単独もしくは複合して使用することが考えられる。モニュメント・オブジェは、その全部もしくは一部に塗装を施こすことが考えられる。更に、モニュメント・オブジェの設置場所は屋外に限定されず、屋内への設置も可能である。
【００３２】
【発明の効果】
以上の説明から明らかなように、本発明によると、モニュメント・オブジェの施工は従来の方法に比べて容易である。すなわち、モニュメント・オブジェの要素部材は、あらかじめ工場内で造ることができ、現場での作業は、特殊な技術を要しない組み立て作業のみである。また、緊結金具を用いて、重合された要素部材を固着するために、乾式工法で施工することができる。更に、モニュメント・オブジェは全体像が複雑であっても、単純化した要素部材に分解し、それら要素部材ごとに造形することが可能である。
【００３３】
次いで、本発明によるモニュメント・オブジェは豊富な種類のデザインを用意することができる。すなわち、同型の要素部材を複数個組み合わせることにより一つのデザインを完成させるため、幾つかの要素部材で、その何倍もの種類のモニュメント・オブジェをデザインすることが可能である。更に、使用する支柱の数を変更することにより、前記のデザインの種類をさらに豊富にすることが可能である。
【００３４】
加えて、モニュメント・オブジェは、噴水を設けることで、より優れたデザイン性を得ることが可能である。
【００３５】
水の供給方法は、支柱内部に配水管を挿通させることが考えられるが、支柱そのものを配水管として利用することにより、部材を減らし、施工を簡略化することもできる。
【００３６】
このように、本発明によれば、制作が容易で、かつ、デザインの種類も豊富なモニュメント・オブジェを得ることができ、総じて、安価なモニュメント・オブジェの提供が可能となる。
【図面の簡単な説明】
【図１】基礎石、支柱及び配水管の取り付け部を分解して示す斜視図である。
【図２】各要素部材及び噴水部の取り付け部を分解して示す斜視図である。
【図３】使用状態の一例を示す斜視図である。
【図４】モニュメント・オブジェ上部の取り付け状態を示す断面図である。
【図５】  モニュメント・オブジェ下部の取り付け状態を示す断面図である。
【符号の説明】
(１)  基礎石
(４)  支柱
(６)  下部緊結金具
(９)  配水管
(10)  配水管
(12)  腕石
(13)  押え石
(21)  上部緊結金具
(26)  噴水ノズル
【図１】
0003853999.tif 000002
【図２】
0003853999.tif 000003
【図３】
0003853999.tif 000004
【図４】
0003853999.tif 000005
【図５】
0003853999.tif 000006